(57)【要約】      （修正有）【課題】脱離しにくく防水機能がある、締結構造を有するケーシングを提供する。【解決手段】締結構造を有するケーシングＺは、第１のケーシングユニット１と、第２のケーシングユニット２と、弾性体ユニット３とを含む。第１のケーシングユニット１は第１の収容溝１１と第１の収容溝周りを取り囲む溝体１２とを含む。溝体１２は、内側壁１２１と、外側壁１２２と、内側壁と外側壁との間に接続される接続面とを有する。外側壁には複数の締結溝１３が設けられる。第２のケーシングユニット２は第２の収容溝と第２の収容溝を取り囲む囲繞側辺２２とを含む。囲繞側辺は外面を有する。外面には複数の締結部２３が設けられる。囲繞側辺は内側壁と外側壁との間に設けられる。複数の締結部は複数の締結溝と互いに係合される。弾性体ユニットは内側壁と外側壁との間に設けられると共に接続面と囲繞側辺との間に当接される。【選択図】図３
0003203594.tif 000002
【実用新案登録請求の範囲】
【請求項１】
第１の収容溝と、内側壁、複数の締結溝を有する外側壁及び前記内側壁と前記外側壁との間に接続される接続面を有しており、前記第１の収容溝を取り囲む溝体と、を含む第１のケーシングユニットと、
前記第１のケーシングユニットと互いに対応するように設けられる第２のケーシングユニットであって、第２の収容溝と、前記内側壁と前記外側壁との間に設けられると共に前記第２の収容溝を取り囲んでおり、外面に複数の前記締結溝と互いに係合される複数の締結部が設けられる囲繞側辺と、を含む第２のケーシングユニットと、
前記内側壁と前記外側壁との間に設けられ、前記接続面と前記囲繞側辺との間に当接される弾性体ユニットと、
を含むことを特徴とする締結構造を有するケーシング。
【請求項２】
複数の前記締結溝は、前記外側壁を貫通する若しくは前記外側壁に凹設され、
各前記締結溝は第１の当接面を有し、
各前記締結部は第２の当接面を有し、
複数の前記締結部が複数の前記締結溝とそれぞれ互いに係合される場合、前記第１の当接面は前記第２の当接面に密着されることを特徴とする請求項１に記載の締結構造を有するケーシング。
【請求項３】
前記第１のケーシングユニットは底面を更に含み、
前記第１の当接面及び前記第２の当接面は前記第１のケーシングユニットの前記底面に対して傾いた斜面又は複斜面であることを特徴とする請求項２に記載の締結構造を有するケーシング。
【請求項４】
前記第１の当接面と前記第２の当接面とは互いに平行であり、
前記囲繞側辺の前記外面と前記第２の当接面とは９０度よりも小さい所定の夾角を形成することを特徴とする請求項３に記載の締結構造を有するケーシング。
【請求項５】
前記第１のケーシングユニットは底面を更に含み、
前記内側壁の上面から前記第１のケーシングユニットの前記底面までの高さは第１の高さであり、
前記外側壁の上面から前記第１のケーシングユニットの前記底面までの高さは第２の高さであり、
前記第２の高さは前記第１の高さよりも大きいことを特徴とする請求項１に記載の締結構造を有するケーシング。
【請求項６】
前記第１のケーシングユニットは底面を更に含み、
各前記締結溝は第１の当接面を有し、
複数の前記締結溝の一部における各前記締結溝の前記第１の当接面から前記第１のケーシングユニットの前記底面までの距離は、複数の前記締結溝の他の一部における各前記締結溝の前記第１の当接面から前記第１のケーシングユニットの前記底面までの距離と異なっていることを特徴とする請求項１に記載の締結構造を有するケーシング。
【請求項７】
前記溝体の前記接続面は、前記底面に対して水平でないように設けられ、
一部の前記接続面から前記第１のケーシングユニットの前記底面までの距離は他の一部前記接続面から前記第１のケーシングユニットの前記底面までの距離と異なり、
前記弾性体ユニットは前記接続面に沿って設けられることを特徴とする請求項６に記載の締結構造を有するケーシング。
【請求項８】
前記第２のケーシングユニットは、前記囲繞側辺の内面に設けられると共に前記内側壁の上面に当接される内縁を更に含むことを特徴とする請求項１に記載の締結構造を有するケーシング。
【請求項９】
前記溝体は凹状の構造を形成し、
前記囲繞側辺、前記締結部及び前記内縁で凸状の構造が形成されることを特徴とする請求項８に記載の締結構造を有するケーシング。
【考案の詳細な説明】
【技術分野】
【０００１】
本考案は、ケーシングに関し、特に、脱離しにくく防水できる、締結構造を有するケーシングに関する。
【背景技術】
【０００２】
現在、電子装置の多くはケーシング内に設けられて、ケーシングにより電子装置が保護されると共に、衝突する時のインパクトが緩められる。例えば、外付けハードディスクは落下した時に衝突力が緩められるように、ケーシング内に設けられる。しかし、現在のケーシング構造の多くは緩衝性に対して設計されたものであり、外付けハードディスクのケーシングの防塵性及び防水性に対する設計を行われていなかった。
【０００３】
また、現在のケーシングにも締結構造が多用されているが、このような従来の締結構造は設計上の様々な不足があり、例えば、転落した時に、締結構造が分離しやすい欠陥もある。
【０００４】
なお、現在、ケーシングに設けられるゴムストリップにより生活防水機能が達成されるケーシング構造が存在するが、ゴムストリップの設置方式でも防水効果を効果的に達成できない。
【０００５】
そこで、上記した不足を克服するめたに締結構造を有するケーシングをどのように提供するのかは、この技術分野で解決されようとする重要な課題の一つになっている。
【考案の概要】
【考案が解決しようとする課題】
【０００６】
本考案は、以上の問題に鑑みてなされたものであり、脱離しにくく防水機能がある、締結構造を有するケーシングを提供することを課題とする。
【課題を解決するための手段】
【０００７】
本考案の実施例は第１のケーシングユニットと、第２のケーシングユニットと、弾性体ユニットとを含む、締結構造を有するケーシングを提供する。第１のケーシングユニットは第１の収容溝と第１の収容溝周りを取り囲む溝体とを含む。溝体は、内側壁と、外側壁と、内側壁と外側壁との間に接続される接続面とを有する。外側壁には複数の締結溝が設けられる。第２のケーシングユニットと第１のケーシングユニットとは互いに対応するように設けられる。第２のケーシングユニットは第２の収容溝と第２の収容溝を取り囲む囲繞側辺とを含む。囲繞側辺は外面を有する。外面には複数の締結部が設けられる。囲繞側辺は内側壁と外側壁との間に設けられる。複数の締結部は複数の締結溝とそれぞれ互いに係合される。弾性体ユニットは内側壁と外側壁との間に設けられると共に接続面と囲繞側辺との間に当接される。
【考案の効果】
【０００８】
本考案に係る締結構造を有するケーシングは、弾性体ユニットが内側壁と外側壁との間に設けられることによって、防水及び防塵の効果を達成できると共に、第１のケーシングユニットの外側壁に設けられる締結溝と第２のケーシングユニットの締結部とが互いに締結されることによって、第１のケーシングユニットと第２のケーシングユニットとを密接に結合させることができる。さらに、締結溝が第１のケーシングユニットの外側壁に設けられた時、側辺構造全体の厚さを減少させることができ、薄型化の要求を達成できる。さらに、第２のケーシングユニットの囲繞側辺及び第１のケーシングユニットの接続面が圧力を弾性体ユニットに与えることができることによって、本考案の実施例が提供する締結構造を有するケーシングは脱離しにくくなるだけでなく、防水機能を有する。
【図面の簡単な説明】
【０００９】
【図１】本考案の実施例に係る締結構造を有するケーシングの斜視組み立て図である。
【図２】本考案の実施例に係る締結構造を有するケーシングのもう一つの斜視組み立て図である。
【図３】本考案の実施例に係る締結構造を有するケーシングの分解組み立て図である。
【図４】本考案の実施例に係る締結構造を有するケーシングのもう一つの分解組み立て図である。
【図５】図３におけるＶ−Ｖ断面の斜視断面図である。
【図６】図５におけるＡ部分の一部拡大図である。
【図７】図３におけるＶＩＩ−ＶＩＩ断面の斜視断面図である。
【図８】図７におけるＢ部分の一部拡大図である。
【図９】図１におけるＩＸ−ＩＸ断面の斜視断面図である。
【図１０】図９におけるＣ部分の一部拡大図である。
【図１１】図９の正面図である。
【図１２】図１１におけるＤ部分の一部拡大図である。
【考案を実施するための形態】
【００１０】
以下のことは特定の具体例により本考案に開示される「締結構造を有するケーシング」を説明する実施形態であり、当業者にとっては本明細書に開示される内容から本考案の他のメリットと機能及び効果が簡単に分かる。本考案も他の異なる具体的な実施例により実施又は適用可能であり、本明細書における各項の詳細についても、異なる観点と応用に基づき、本考案の精神を逸脱しない限り、種々の修飾と変更を行うことが可能である。また、本考案の図面が簡単な説明に過ぎず、実際のサイズに基づいて描かれるものではない、つまり、関連構造の実際のサイズを反映するものではないことを予め明らかにしておく。以下の実施形態は本考案の係る技術内容をより詳細に説明するが、本考案の技術範囲を制限するためのものではない。
【００１１】
まず、図１から図４及び図９を参照する。図１は本考案の実施例に係る締結構造を有するケーシングの斜視組み立て図である。図２は本考案の実施例に係る締結構造を有するケーシングのもう一つの斜視組み立て図である。図３は本考案の実施例に係る締結構造を有するケーシングの分解組み立て図である。図４は本考案の実施例に係る締結構造を有するケーシングのもう一つの分解組み立て図である。図９は図１におけるＩＸ−ＩＸ断面の斜視断面図である。本考案に係る締結構造を有するケーシングＺは、第１のケーシングユニット１と、第２のケーシングユニット２と、弾性体ユニット３とを含む。第１のケーシングユニット１と第２のケーシングユニット２との間に、電子装置(図示せず)が収容されるように収容スペースＳが形成されてもよい。例えば、締結構造を有するケーシングＺは、外付けハードディスクのハウジングに適用されることによって、収容スペースＳに収容されるハードディスク構造を保護することができると共に、ハードディスク構造に対する防水、防塵及び防振の効果を達成できるが、本考案はこれに限られるものではない。
【００１２】
図５及び図６を同時に参照する。図５は図３におけるＶ−Ｖ断面の斜視断面図である。図６は図５におけるＡ部分の一部拡大図である。第１のケーシングユニット１は、第１の収容溝１１と、第１の収容溝１１の周りを取り囲む溝体１２とを含む。第１のケーシングユニット１は四角形の構造であってもよい。溝体１２は第１のケーシングユニット１の周りに沿って上方向へ折り曲がって延伸してもよい。これにより、溝体１２が上方向へ折り曲がって延伸することによって、第１の収容溝１１が形成される。具体的には、溝体１２は内側壁１２１と、外側壁１２２と、内側壁１２１と外側壁１２２との間に接続される接続面１２３とを有することによって、内側壁１２１と外側壁１２２と接続面１２３との接続により、凹状の構造を形成することができる。また、外部からの液体又は塵埃の収容スペースＳへの侵入を止めるためには、弾性体ユニット３が溝体１２に設けられてもよい。言い換えれば、弾性体ユニット３は内側壁１２１と外側壁１２２との間に設けられ、接続面１２３に位置してもよい。
【００１３】
外側壁１２２には複数の締結溝１３が設けられるようにしてもよい。複数の締結溝１３は、外側壁１２２を貫通するようにしてもよく、外側壁１２２に凹設されてもよい。言い換えれば、複数の締結溝１３が外側壁１２２に凹設される場合、凹設される複数の締結溝１３は第１の収容溝１１に対向する方向へ設けられてもよい。これにより、外側壁１２２に凹設される複数の締結溝１３はブラインドホールであるが、外側壁１２２を貫通する複数の締結溝１３は貫通孔である。また、本考案の実施例では、以下の内容は複数の締結溝１３が外側壁１２２を貫通している実施態様を説明する。しかし、複数の締結溝１３は外側壁１２２を貫通する若しくは外側壁１２２に凹設されるにかかわらず、第１のケーシングユニット１が第２のケーシングユニット２と結合される時の構造はほぼ同じである。
【００１４】
次に、図１から図４と合わせて、図７及び図８を同時に参照する。図７は図３におけるＶＩＩ−ＶＩＩ断面の斜視断面図である。図８は図７におけるＢ部分の一部拡大図である。第２のケーシングユニット２は第１のケーシングユニット１と互いに対応するように設けられてもよい。言い換えれば、第２のケーシングユニット２と第１のケーシングユニット１の双方は係合構造により互いに結合されてもよい。第２のケーシングユニット２は第２の収容溝２１と第２の収容溝２１を取り囲む囲繞側辺２２とを含み、囲繞側辺２２は内面２２２と外面２２１とを有し、囲繞側辺２２の外面２２１には、第１のケーシングユニット１の複数の締結溝１３のそれぞれと互いに配合される複数の締結部２３が設けられてもよい。これにより、囲繞側辺２２、締結部２３及び内縁２４で凸状の構造を形成することができる。
【００１５】
第１のケーシングユニット１と第２のケーシングユニット２の双方が互いに接合された場合、囲繞側辺２２は第１のケーシングユニット１の内側壁１２１と外側壁１２２との間に設けられ、第２のケーシングユニット２に設けられる複数の締結部２３はそれぞれ第１のケーシングユニット１に設けられる複数の締結溝１３と互いに係合されてもよい。さらに、弾性体ユニット３は接続面１２３と囲繞側辺２２との間に位置すると共に、接続面１２３と囲繞側辺２２とに当接されてもよい。言い換えれば、弾性体ユニット３は、液体又は塵埃の収容スペースＳへの侵入を防止することができるための防水リングとして機能する。弾性体ユニット３材質は、ゴム、プラスチック、樹脂体などであってもよく、弾性力を有するものであればよい。
【００１６】
図９及び図１０と合わせて、図６及び図８を同時に参照する。図９は図１におけるＩＸ−ＩＸ断面の斜視断面図である。図１０は図９におけるＣ部分の一部拡大図である。各締結溝１３は第１の当接面１３１を有するようにしてもよい。各締結部２３は第２の当接面２３１を有するようにしてもよい。複数の締結部２３が複数の締結溝１３と互いにそれぞれ係合される場合、第１の当接面１３１は第２の当接面２３１に密着又は当接される。同時に、弾性体ユニット３は第１のケーシングユニット１の接続面１２３及び第２のケーシングユニット２の囲繞側辺２２に押し付けられて、液体又は塵埃の侵入を止めるようになる。
【００１７】
次に、再び図３及び図４に示すように、第１のケーシングユニット１は底面１４を更に含む。複数の締結溝１３の一部の第１の当接面１３１から底面１４までの距離は、複数の締結溝１３の他の一部の第１の当接面１３１から底面１４までの距離と異なっている。言い換えれば、締結溝１３はうねるように設けられてもよい。これにより、本考案の実施例では、長手方向に位置する複数の締結溝１３の一部の第１の当接面１３１から底面１４までの距離は、短手方向に位置する複数の締結溝１３の他の一部の第１の当接面１３１から底面１４までの距離よりも大きいものであってもよい。溝体１２の接続面１２３は締結溝１３のうねりに沿って底面１４に対して水平でないように設けられてもよい。これにより、一部の接続面１２３から底面１４までの距離は他の一部接続面１２３から底面１４までの距離と異なっているが、弾性体ユニット３は接続面１２３のうねりに沿って設けられてもよい。
【００１８】
また、弾性体ユニット３は接続面１２３のうねりに沿って設けられてよく、締結溝１３もうねるように設けられてもよいので、第１のケーシングユニット１と第２のケーシングユニット２との係合行程は同じものであってもよい。言い換えれば、本考案の実施例では、締結溝１３それぞれの第１の当接面１３１から外側壁１２２の上面１２２１までの距離が同じであることが好ましい。
【００１９】
図１１及び図１２に示すように、図１１は図９の正面図である。図１２は図１１におけるＤ部分の一部拡大図である。締結溝１３と締結部２３との係止性を増加させるために、第１の当接面１３１と第２の当接面２３１はいずれも底面１４に対して傾いた斜面又は複斜面であることが好ましい。これにより、本考案の実施例が提供する締結構造を有するケーシングＺが転落した場合、受けた衝突力が大きいほど、締結溝１３と締結部２３とは強く係合して、第１のケーシングユニット１及び第２のケーシングユニット２が転落した時の変形により締結溝１３と締結部２３とを互いに分離させる現象の発生を避けるようになる。また、例えば、締結溝１３の第１の当接面１３１と締結部２３の第２の当接面２３１とは互いに平行であってもよく、囲繞側辺２２の外面２２１と第２の当接面２３１及び第１の当接面１３１とは所定の夾角θを形成してもよいが、所定の夾角θが９０度よりも小さいものであることが好ましい。
【００２０】
また、図１２に示すように、第１のケーシングユニット１の内側壁１２１の上面１２１１から底面１４までの高さは第１の高さＨ１である。第１のケーシングユニット１の外側壁１２２の上面１２２１から底面１４までの高さは第２の高さＨ２である。本考案の実施例では、好ましくは、第２の高さＨ２は第１の高さＨ１よりも大きい。言い換えれば、外側壁１２２は内側壁１２１を取り囲むと共に、第２のケーシングユニット２を第１のケーシングユニット１の外側壁１２２に締結させることができる。
【００２１】
〔実施例の可能な機能と効果〕
締結構造を有するケーシングＺは、弾性体ユニット３が内側壁１２１と外側壁１２２との間に設けられることによって、防水及び防塵の効果を達成できると共に、第１のケーシングユニット１の外側壁１２２に設けられる締結溝１３と第２のケーシングユニット２の締結部２３とが互いに締結されることによって、第１のケーシングユニット１と第２のケーシングユニット２とを密接に結合させることができる。さらに、締結溝１３が第１のケーシングユニット１の外側壁１２２に設けられた時、側辺構造全体の厚さを減少させることができ、薄型化の要求を達成できる。さらに、第２のケーシングユニット２の囲繞側辺２２及び第１のケーシングユニット１の接続面１２３が圧力を弾性体ユニット３に与えることができることによって、本考案の実施例が提供する締結構造を有するケーシングＺは脱離しにくくなるだけでなく、防水機能を有する。
【００２２】
さらに、第１の当接面１３１と第２の当接面２３１が斜面又は複斜面である特徴によれば、締結構造を有するケーシングＺが転落した場合、受けた衝突力が大きいほど、締結溝１３と締結部２３とは強く係合して、第１のケーシングユニット１及び第２のケーシングユニット２が転落した時の変形により締結溝１３と締結部２３とを互いに分離させる現象の発生を避けるようになる。
【００２３】
以上に記載のことは本考案の実施可能である好ましい実施例に過ぎず、本考案の実用新案登録請求の範囲を限定するものではない。本考案の明細書及び図面の内容に基づき為された等価な技術変化はいずれも本考案の実用新案登録請求の範囲に属するものとする。
【符号の説明】
【００２４】
Ｚ    ケーシング
１    第１のケーシングユニット
１１    第１の収容溝
１２    溝体
１２１    内側壁
１２１１    上面
１２２    外側壁
１２２１    上面
１２３    接続面
１３    締結溝
１３１    第１の当接面
１４    底面
２    第２のケーシングユニット
２１    第２の収容溝
２２    囲繞側辺
２２１    外面
２２２    内面
２３    締結部
２３１    第２の当接面
２４    内縁
３    弾性体ユニット
θ    所定の夾角
Ｈ１    第１の高さ
Ｈ２    第２の高さ
Ｓ    収容スペース
【図１】
0003203594.tif 000003
【図２】
0003203594.tif 000004
【図３】
0003203594.tif 000005
【図４】
0003203594.tif 000006
【図５】
0003203594.tif 000007
【図６】
0003203594.tif 000008
【図７】
0003203594.tif 000009
【図８】
0003203594.tif 000010
【図９】
0003203594.tif 000011
【図１０】
0003203594.tif 000012
【図１１】
0003203594.tif 000013
【図１２】
0003203594.tif 000014